(57)【要約】      （修正有）【課題】人手に頼り風呂蓋を開閉する動作に伴って生ずる煩雑や困難を回避し、湯水の保温性を高め、かつ、高齢者や身体の不自由な人の負担を軽減し、また、風呂蓋を整然と収納し、浴槽の美観を高め、風呂場の景観をよくすることができる風呂蓋の開閉装置を提供する。【解決手段】風呂の浴槽１の一方の端に内蔵し、電動モーターあるいは手動ハンドルとこれを動力として回転するシャフト３の間にギアを介在して設置し、かつ、風呂蓋２の一端を固定したシャフトの回転に伴って、風呂蓋を内側に引き込み、あるいは、外側に押し出すようにして、風呂蓋の開閉装置を構成する。【選択図】図１
0003151557.tif 000002
【実用新案登録請求の範囲】
【請求項１】
電動モーターを作動し、あるいは、手動ハンドルによって、ギアを介し、シャフトを回転させ、また、この回転によって、風呂蓋を内側に引き込み、あるいは、外側に押し出しをなす、風呂の浴槽に内蔵して設置する風呂蓋の開閉装置
【請求項２】
電動モーターを作動し、あるいは、手動ハンドルによって、ギアを介し、シャフトを回転させ、かつ、この回転によって、風呂蓋を内側に引き込み、あるいは、外側に押し出しをなす、風呂の浴槽に取り付け設置する、請求項１の風呂蓋の開閉装置
【考案の詳細な説明】
【技術分野】
【０００１】  この考案は、風呂の浴槽の蓋を簡単に開閉する装置に関するものである。
【背景技術】
【０００２】（イ）風呂の蓋は、浴槽（バスタブ）内に溜めた湯水を保温し、電気・ガス等の消費を節約するために、浴槽と組み合わせて使用されている。
（ロ）風呂蓋には、従来、二つの型がある。一つは、複数の平板な板を並べ、それを重ね合わせて収納するものであり、他は、一枚の帯状の板を置き、それを巻いて収納するものである。
（ハ）これらの風呂蓋を使用するならば、浴槽に湯水を張り、あるいは、入浴するにあたり、風呂蓋を開閉する動作をし、また、風呂蓋の適当な置き場所を必要とする。【０００３】（ハ）ところが、風呂蓋を開閉する動作は人手に頼るので、これに伴って、いろいろな煩雑や困難が生ずる。また、風呂蓋を開けたとしても、その置き場所に困り、勝手な所に納めると、これに伴って、浴槽の美観を害し、風呂場の景観を乱雑な状態にする。
【考案の開示】
【考案が解決しようとする課題】
【０００４】  この考案が解決しようする問題点は、次の通りである。
（イ）先ず、人手に頼って風呂蓋を開閉すると、これに伴って、いろいろな煩雑や困難が生ずるので、これらの煩雑や困難を避け、その動作を簡単にする必要がある。
（ロ）次に、風呂蓋の置き場所に困り、勝手な所に納めると、これに伴って、風呂の美観を害し、風呂場の景観を乱雑な状態するので、この状態を避け、風呂蓋を上手に整理して収納する必要がある。
【課題を解決するための手段】
【０００５】  この考案が解決する手段は、次の通りである。
（イ）電動モーター（９）を作動し、あるいは、手動ハンドル（１２）によって、ギア（８）を介し、シャフト（３）を容易に回転させ、また、この回転によって、風呂蓋（２）を内側に引き込み（４）、あるいは、外側に押し出し（５）をなす、風呂蓋（２）の開閉装置を風呂の浴槽（１）に内蔵して設置する。
（ロ）電動モーター（９）を作動し、あるいは、手動ハンドル（１２）によって、ギア（８）を介し、シャフト（３）を容易に回転させ、また、この回転によって、風呂蓋（２）を内側に引き込み（４）、あるいは、外側に押し出し（５）をなす、風呂蓋（２）の開閉装置を風呂の浴槽（１）に取り付けて設置する。
【考案の効果】
【０００６】  この考案の効果は、次の通りである。
（イ）先ず、風呂蓋（２）は簡単に開閉する（６）（７）ので、従来、人手に頼って来た動作が簡単になる。したがって、従来の動作に伴って生ずる、いろいろな煩雑や困難を解消する。特に、高齢者や身体の不自由な人の負担を軽減し、風呂場の事故を少なくし、身体の安全性を向上させる。
（ロ）次に、風呂蓋（２）の開閉（６）（７）は容易な動作になるので、これに伴って、誰もが風呂蓋（２）を頻繁に閉める割合も増加する。したがって、この風呂蓋（２）は、湯水の保温性を高め、電気・ガス等の消費をより少なくする。
（ハ）最後に、風呂蓋（２）は、その開閉装置の内部に収納されるので、浴槽（１）の美観も上がり、そのデザイン性も向上し、風呂場の景観も整然となる。
【最良の実施例】
【０００７】  この考案の最良の実施例は、次の通りである。
（イ）電動モーター（９）を作動し、あるいは、手動ハンドル（１２）によって、複数のギア（８）を介して、シャフト（３）を容易に回転させ、また、この回転によって、風呂蓋（２）を内側に引き込み（４）、あるいは、外側に押し出し（５）をなす、風呂蓋（２）の開閉（６）（７）装置を風呂の浴槽（１）に設置する。
（ロ）この開閉装置は、風呂の浴槽（１）に内蔵して設置する浴槽一体型でも、または、既存の浴槽（１）に取り付け設置する後付型でもよい。
（ロ）風呂蓋（２）の端部（１６）をシャフト（３）に刻んだスリット（１３）に差し込み固定する（１７）。また、風呂蓋（２）の表面に台形（１４）と溝（１５）を複数横列に配置する。
【実施例】
【０００８】  この考案の実施例は、次の通りである。
（イ）風呂蓋（２）を容易に開閉させ（６）（７）、また、風呂蓋（２）を整然と収納するために、風呂の浴槽（１）に設置する、風呂蓋（２）の開閉装置である。これによって、従来、人手に頼って来た開閉の動作を簡単にし、また、浴槽（１）の美観を上げ、デザイン性を向上し、風呂場の景観をよくする。
（ロ）この装置は、電動モーター（９）を作動し、あるいは、手動ハンドル（１２）によって、複数のギア（８）を介して、シャフト（３）を容易に回転させ、かつ、この回転に伴って、風呂蓋（２）を内側に引き込み（４）、あるいは、外側に押し出し（５）をなす装置である。
（ロ）風呂蓋（２）の端部（１４）をシャフト（３）に刻んだスリット（１３）に差し込み固定する（１７）。これによって、風呂蓋（２）の脱着を容易にするので、風呂蓋（２）の清掃が楽になる。また、風呂蓋（２）の表面に台形（１４）と溝（１５）を横列に複数配置する。シャフト（３）の回転に伴って、この溝（１５）の幅が変化するので、風呂蓋（２）の引き込み（４）あるいは押し出し（５）を容易にする。
（ハ）この開閉装置には、浴槽一体型と後付型とがある。前者は、浴槽（１）の縁の内部にこの装置を内蔵して、一体として設置するものである。これに対し、後者は、この装置を既存の浴槽（１）に吸盤などで後から取り付けて設置したものである。
（ニ）浴槽（１）に湯水を張り、あるいは、入浴するために、風呂蓋（２）を開閉（６）（７）する必要のあるとき、この開閉装置が用いられる。この装置の電源のスイッチ（１０）を操作することによって、風呂蓋（２）を内側に引き込み（４）、または、内側に引き込まれていた風呂蓋（２）を外側に押し出し（５）、風呂蓋（２）を開閉する（６）（７）。
【図面の簡単な説明】
【０００９】
【図１】  本考案の装置を内蔵する浴槽一体型の横断面図である。
【図２】  本考案の装置を浴槽に後付する後付型の横断面図である。
【図３】  本考案の装置のうち、電動かつ浴槽一体型を上方からみた透視図である。
【図４】  本考案の装置のうち、手動かつ浴槽一体型を上方からみた透視図である。
【図５】  本考案の装置におけるシャフトと風呂蓋の斜面図である。
【図６】  本考案の装置におけるシャフトの断面図である。
【符号の説明】
【００１０】  １    浴槽
２    風呂蓋
３    シャフト
４    引込回転
５    押出回転
６    開方向
７    閉方向
８    ギア
９    電動モーター
１０    開閉スイッチ
１１    電源
１２    手動ハンドル
１３    スリット
１４    台形部分
１５    溝部分
１６    風呂蓋の端部
１７    差込
【図１】
0003151557.tif 000003
【図２】
0003151557.tif 000004
【図３】
0003151557.tif 000005
【図４】
0003151557.tif 000006
【図５】
0003151557.tif 000007
【図６】
0003151557.tif 000008
【手続補正書】
【提出日】平成20年11月25日(2008.11.25)
【手続補正１】
【補正対象書類名】実用新案登録請求の範囲
【補正対象項目名】全文
【補正方法】変更
【補正の内容】
【実用新案登録請求の範囲】
【請求項１】
電動モーターとシャフトにギアを介在して配置し、また、電動モーターを作動しギアを介しシャフトを回転することによって、風呂蓋を内側に引き込み、外側に押し出しをなす、風呂の浴槽に内臓して設置する風呂蓋の開閉装置。
【請求項２】
電動モーターとシャフトにギアを介在して配置し、また、電動モーターを作動しギアを介しシャフトを回転することによって、風呂蓋を内側に引き込み、外側に押し出しをなす、風呂の浴槽に取り付け設置する、請求項１の風呂蓋の開閉装置。
【請求項３】
スリットを刻んだシャフトと複数の台形と溝を横列に表面に設けた風呂蓋を配置し、また、シャフトの回転に伴って、風呂蓋の表面の溝に変化をもたらし、風呂蓋の引き込み、押し出しを容易にする、請求項１及び２の風呂蓋の開閉装置。
【手続補正書】
【提出日】平成21年3月26日(2009.3.26)
【手続補正１】
【補正対象書類名】実用新案登録請求の範囲
【補正対象項目名】請求項１
【補正方法】変更
【補正の内容】
【請求項１】
風呂の浴槽の一方の端に内蔵し、電動モーターとこれを動力として回転するシャフトの間にギアを介在して設置し、かつ、風呂蓋の一端を固定したシャフトの回転に伴って、風呂蓋を内側に引き込み、外側に押し出す、風呂蓋の開閉装置。
【手続補正２】
【補正対象書類名】実用新案登録請求の範囲
【補正対象項目名】請求項２
【補正方法】変更
【補正の内容】
【請求項２】
風呂の浴槽の一方の端に取り付けし、電動モーターとこれを動力として回転するシャフトの間にギアを介在して設置し、かつ、風呂蓋の一端を固定したシャフトの回転に伴って、風呂蓋を内側に引き込み、外側に押し出す、請求項１の風呂蓋の開閉装置。
【手続補正３】
【補正対象書類名】実用新案登録請求の範囲
【補正対象項目名】請求項３
【補正方法】変更
【補正の内容】
【請求項３】
スリットを刻んだシャフトと複数の台形と溝を横列に表面に設けた風呂蓋を配置し、かつ、風呂蓋の一端を固定したシャフトの回転に伴って、風呂蓋の表面の溝に変化をもたらし、風呂蓋を内側に引き込み、外側に押し出す、請求項１または２の風呂蓋の開閉装置。